(57)【特許請求の範囲】
【請求項１】
一方の印刷紙と所定のパターンで空押し加工を施してなる他方の印刷紙とを糊によって貼り合わせて作製される印刷物の作製方法であって、
前記一方の印刷紙の裏面において、前記他方の印刷紙における空押しパターンの凸部に相当する箇所に、糊の接着を防止するための剥離ＯＰニスを印刷する工程と、
前記一方の印刷紙の裏面に糊を全面塗布することにより、剥離ＯＰニスが印刷された箇所は糊がはじかれて、剥離ＯＰニスが印刷された箇所以外の部分に糊が塗布される工程と、
空押しパターンの凸部の裏面側に剥離ＯＰニスを設けた前記他方の印刷紙を、前記一方の印刷紙の糊が塗布された面に重ね合わせる工程と、
前記他方の印刷紙における空押しパターンの凸部に相当する箇所に型抜きを行った板紙製のプロテクターを、前記他方の印刷紙の上から重ね合わせる工程と、
前記一方の印刷紙と前記他方の印刷紙と前記プロテクターとが重なった状態の３枚をプレスローラに通して加圧接着する工程と、
を有することを特徴とする印刷物の作製方法。
【請求項２】
一方の印刷紙と所定のパターンで空押し加工を施してなる他方の印刷紙とが糊を介して貼り合わされた印刷物であって、
前記他方の印刷紙において空押しパターンの凸部の裏面側には剥離ＯＰニスが設けられており、前記一方の印刷紙には前記他方の印刷紙における空押しパターンの凸部に相当する箇所に剥離ＯＰニスが印刷されており、剥離ＯＰニスが印刷された箇所以外の部分は前記糊によって、前記一方の印刷紙と前記他方の印刷紙とが貼り合わされていることを特徴とする印刷物。
【発明の詳細な説明】
【技術分野】
【０００１】
本発明は、住設業界、内装業界等で商談の際に広く用いられる建材の見本帳として好適に利用される印刷物に関するものである。
【背景技術】
【０００２】
通常、住設業界、内装業界等で行われる商談の際には、見本帳ないしはこれを綴じた見本帳ファイルが利用されている。従来、この見本帳としては、建材の現物の一部をそのまま台紙に貼り付けた構成のものが用いられていたが、この現物の一部を用いたタイプの見本帳は、製作、取扱い、廃棄等がすべて大変であることから、簡便な見本帳として利用できる印刷物が知られている（特許文献１参照。）。
【０００３】
この特許文献１に記載の印刷物は、紙基材の上にオフセット印刷により絵柄印刷層を形成し、その絵柄印刷層を覆って全面に透明カバー層を形成し、その透明カバー層の上にシルクスクリーン印刷により透明なパターン状の凸部を形成したものである。
【特許文献１】特開２００２−６７４６９号公報
【発明の開示】
【発明が解決しようとする課題】
【０００４】
上記した印刷物は、建材の見本帳として用いた時に、現物の持つ凹凸感、艶、色調、量感、感触等の質感を表現することができるという優れたものであるが、透明カバー層の上の凸部は、シルクスクリーン印刷用の無着色グロスインキないし無着色マットインキを用いてスクリーン印刷で形成しているため、どうしても凹凸感が乏しいという問題点があった。そして、十分な凹凸感を出すために数回重ねて印刷をしても、突き出た感じの大きな凹凸感を得ることは不可能であった。
【０００５】
本発明は、このような問題点に鑑みてなされたものであり、その目的とするところは、大きな凹凸感を有し、建材の見本帳として用いたときに、現物らしさのある見本を表現できるようにした印刷物を提供することにある。
【課題を解決するための手段】
【０００６】
本発明に係る印刷物の作製方法は、一方の印刷紙と所定のパターンで空押し加工を施してなる他方の印刷紙とを糊によって貼り合わせて作製される印刷物の作製方法であって、前記一方の印刷紙の裏面において、前記他方の印刷紙における空押しパターンの凸部に相当する箇所に、糊の接着を防止するための剥離ＯＰニスを印刷する工程と、前記一方の印刷紙の裏面に糊を全面塗布することにより、剥離ＯＰニスが印刷された箇所は糊がはじかれて、剥離ＯＰニスが印刷された箇所以外の部分に糊が塗布される工程と、空押しパターンの凸部の裏面側に剥離ＯＰニスを設けた前記他方の印刷紙を、前記一方の印刷紙の糊が塗布された面に重ね合わせる工程と、前記他方の印刷紙における空押しパターンの凸部に相当する箇所に型抜きを行った板紙製のプロテクターを、前記他方の印刷紙の上から重ね合わせる工程と、前記一方の印刷紙と前記他方の印刷紙と前記プロテクターとが重なった状態の３枚をプレスローラに通して加圧接着する工程と、を有することを特徴とする。
【０００７】
この作製方法によれば、一方の印刷紙と所定のパターンで空押し加工を施してなる他方の印刷紙とが糊を介して貼り合わされた印刷物であって、前記他方の印刷紙において空押しパターンの凸部の裏面側には剥離ＯＰニスが設けられており、前記一方の印刷紙には前記他方の印刷紙における空押しパターンの凸部に相当する箇所に剥離ＯＰニスが印刷されており、剥離ＯＰニスが印刷された箇所以外の部分は前記糊によって、前記一方の印刷紙と前記他方の印刷紙とが貼り合わされている印刷物が得られる。
【発明の効果】
【０００８】
本発明で得られる印刷物は、２枚の印刷紙からなる合紙の接着強度を保持したまま、他方の印刷紙における空押しパターンの凸部が潰れず、突き出た感じの凹凸を有したものとなるので、空押し加工を施す部分に例えば建材見本の絵柄を印刷しておくことにより、大きな凹凸感のある現物に近い見本を表現することができる。
【発明を実施するための最良の形態】
【０００９】
図１は本発明で得られる印刷物の応用例を示す斜視図である。この印刷物１は二つ折りで見開きの台紙上に住宅用衛生陶器を再現した見本帳であり、台紙の片側内面に印刷により再現した複数種類の陶器見本ａ〜ｇが配置されている。陶器見本ａ〜ｇの色は、一例を挙げれば、ａがピュアホワイト、ｂがオフホワイト、ｃがアイボリー、ｄがブルーグレー、ｅがピンク、ｆがサンドベージュ、ｇがフォググリーンという具合である。
【００１０】
図１の印刷物１は２枚の印刷紙を貼り合わせて作製される。図２はその合紙の方法を示す説明図であり、図示のように、印刷物１は表紙面となる一方の印刷紙２と内側面となる他方の印刷紙３を貼り合わせるが、その際に、型抜きを行った板紙製のプロテクター４を使用する。
【００１１】
一方の印刷紙２は、見本帳の表紙面となるもので、紙基材の表側に所定の印刷、例えば社名、製品名、説明文、写真等を施したものが使用される。
【００１２】
他方の印刷紙３は、見本帳の内側面となるもので、所定のパターンで空押し加工を施したものが使用される。この印刷物１の場合は、紙基材の上にオフセット印刷により陶器のカラー印刷層をパターン形成し、そのカラー印刷層を覆って任意の手段で透明カバー層を形成し、このように所定の印刷を施した印刷紙をその印刷パターンに対応する形状に空押し加工する。なお、この他方の印刷紙３に施す印刷は、カラー印刷や絵柄印刷に限るものではなく、印刷物１の用途に応じて適宜のものが採用される。
【００１３】
プロテクター４は、他方の印刷紙３の空押しパターンの凸部に相当する箇所に型抜きを行ったものが使用される。すなわち、プロテクター４には、図３の平面図にその一部を示すように、印刷紙３の空押しパターンの凸部に対応するパターンで開口４ａが設けられている。このプロテクター４としては、白板紙やボール紙などの板紙が用いられ、中でも両面ポリプロピレン加工の板紙が好適である。また、板紙の紙厚は空押しパターンの凸部の高さの１．５倍以上が必要であり、開口４ａのサイズは凸部の外周より約３ｍｍ程度大きくする。
【００１４】
図２により印刷物１の製造手順を説明すると次のようである。
【００１５】
まず、一方の印刷紙２の裏面（図では上面）に糊を全面塗布する。次に、他方の印刷紙３を空押しパターンの凸部を上にして一方の印刷紙２の裏面に糊の上から重ね合わせる。次いで、プロテクター４をその開口４ａが空押しパターンの凸部に合致するようにして他方の印刷紙３の上から重ね合わせる。そして、この重なった状態の３枚をプレスローラに通して加圧接着することにより、一方の印刷紙２と他方の印刷紙３を貼り合わせる。なお、合紙に使用する糊としては、ＪＳＰ製の合紙糊「エマール」が挙げられる。
【００１６】
このように、空押しパターンに相当する箇所に型抜きを行った板紙製のプロテクター４を別途作成し、空押し印刷紙の上に重ね合わせた状態でプレスローラに通すことにより、ローラ圧が空押しパターン箇所に掛からずに合紙される。
【００１７】
合紙の機構上、スポットでの糊の塗布は困難であり、通常は、一方の印刷紙２に対する糊の塗布は全面塗布となる。このため、合紙後における空押しパターンの凸部の下方には、未接着或いは未乾燥の糊が残ることとなる。したがって、合紙後の積上げ等により空押しパターンに荷重が掛かるようなことが起こると、空押しパターンの凸部が潰れて下にある一方の印刷紙２に接着してしまう恐れがある。
【００１８】
そこで、他方の印刷紙３の空押しパターンの凸部が一方の印刷紙２に接着しない工夫をすることが好ましい。具体的には、図４の一部拡大図に示すように、一方の印刷紙２における空押しパターンに相当する箇所に糊５の接着を防止するための剥離ＯＰニス６を印刷しておくようにする。このようにすることで、一方の印刷紙２の裏面に糊を全面塗布しても、剥離ＯＰニス６の部分は糊５がはじかれて塗布されないこととなる。さらに、塗布する糊の量が多いような場合、加圧圧着するときに糊５が押されて空押しパターンの凸部の方に移動することもあるので、これを防ぐため、空押しパターンの凸部の裏面側にも剥離ＯＰニスを設けておくことが好ましい。なお、剥離ＯＰニスとしては、オフセット印刷用としてインクテック製「ＤＧ剥離ＯＰニス」、シルクスクリーン印刷用として帝国インキ製「２０００メジウム」を挙げることができる。
【産業上の利用可能性】
【００１９】
本発明で得られる印刷物は、上記したような二つ折りの形態で利用するほか、一枚もののシートの形態や小冊子の表紙や任意ページなどに綴じ込んだ形態で利用することもできる。また、本発明の印刷物は、建築資材の見本帳としての利用に適しているが、その他の見本帳や見本ディスプレイなどにも利用できる。
【図面の簡単な説明】
【００２０】
【図１】本発明で得られる印刷物の応用例を示す斜視図である。
【図２】図１に示した印刷物の合紙の方法を示す説明図である。
【図３】プロテクターの一部を示す平面図である。
【図４】図２の一部拡大図である。
【符号の説明】
【００２１】
１  印刷物
２  一方の印刷紙
３  他方の印刷紙
４  プロテクター
４ａ  開口
５  糊
６  剥離ＯＰニス
ａ〜ｇ  陶器見本
【図１】
0004626936.tif 000002
【図２】
0004626936.tif 000003
【図３】
0004626936.tif 000004
【図４】
0004626936.tif 000005